(57)【要約】【課題】固形の製剤を懸濁液化する際の時間と手間を減らすとともに、懸濁薬液の移し間違えの可能性を無くする。【解決手段】シリンジ内に水を固形の製剤とともに入れ、該シリンジを電子レンジにかけて該水を該製剤とともに加熱する。ここで、該シリンジを電子レンジにかけた後、該シリンジの先端を水に浸漬し、該シリンジのピストンを引いて該シリンジ内に水を吸引・追加してもよい。該シリンジを電子レンジにかけた後、該シリンジを振とうしてもよい。該固形の製剤としては錠剤、カプセル剤、丸剤又は顆粒剤を挙げることができる。該錠剤は割って該シリンジ内に入れ、該シリンジを電子レンジにかけてもよいし、表面に疵を付けて該シリンジ内に入れ、該シリンジを電子レンジにかけてもよい。該シリンジ内には複数種の製剤を同時に入れてもよい。【選択図】図１
2010178814.tif 000002
【特許請求の範囲】
【請求項１】
シリンジ内に水を固形の製剤とともに入れ、該シリンジを電子レンジにかけて該水を該製剤とともに加熱することを特徴とする薬剤懸濁液化方法。
【請求項２】
前記シリンジを電子レンジにかけた後、該シリンジの先端を水に浸漬し、該シリンジのピストンを引いて該シリンジ内に水を吸引・追加することを特徴とする請求項１に記載の薬剤懸濁液化方法。
【請求項３】
前記シリンジを電子レンジにかけた後、該シリンジを振とうすることを特徴とする請求項１又は２に記載の薬剤懸濁液化方法。
【請求項４】
前記固形の製剤が、錠剤、カプセル剤、丸剤又は顆粒剤であることを特徴とする請求項１〜３のいずれか１項に記載の薬剤懸濁液化方法。
【請求項５】
前記錠剤を割り、該錠剤を前記シリンジ内に入れ、該シリンジを電子レンジにかけることを特徴とする請求項４に記載の薬剤懸濁液化方法。
【請求項６】
前記錠剤の表面に疵を付け、該錠剤を前記シリンジ内に入れ、該シリンジを電子レンジにかけることを特徴とする請求項４に記載の薬剤懸濁液化方法。
【請求項７】
前記シリンジ内に複数種の製剤を同時に入れることを特徴とする請求項１〜５のいずれか１項に記載の記載の薬剤懸濁液化方法。
【発明の詳細な説明】
【技術分野】
【０００１】
本発明は、固形の製剤（裸錠、コーティング錠、カプセル剤、丸剤又は顆粒剤：以下錠剤等という）を水に溶解ないし懸濁化させて懸濁薬液とし、該製剤を飲み易くする薬剤懸濁液化方法に関するものである。
【背景技術】
【０００２】
人は咀嚼した食物を舌を使って咽頭へ送り、嚥下する。その時，軟口蓋が口腔と鼻腔を遮断し、また、喉頭蓋が気管の蓋をするとともに、食道が開いて食物が食道へと送り込まれる。
【０００３】
ところが、疾病や老化などでこれらの複雑な運動に関わる神経や筋肉に障害が生じた場合、飲食物の咀嚼や飲み込みが困難（嚥下障害）になることがある。そして、嚥下障害の人は食物だけでなく錠剤等を飲み込むことも困難になる。
【０００４】
そこで、嚥下障害の患者には、処方した薬剤が錠剤等の場合、錠剤等を乳鉢ですり潰して粉にし、この粉を水に混ぜ、必要な場合はシロップ等を混ぜて薬の苦みを緩和させ、水薬とし、これを経口または経管（チューブ）で投与している。
【０００５】
また、患者が子供の場合、子供は大人と比べてのどが狭いし、錠剤等を飲み慣れていないので、錠剤等を飲むのを嫌がる。そこで、処方した薬が錠剤等の場合、錠剤等を乳鉢ですり潰して粉にし、これを水に混ぜ、必要な場合はシロップ等を混ぜて薬の苦みを緩和させ、水薬とし、これを飲ませる場合がある。
【０００６】
また、お年寄りが患者で、大量の錠剤等が処方され、これらの薬を飲むのが大変な場合がある。このような場合も錠剤等を乳鉢ですり潰し、これを水に混ぜ、必要な場合はシロップ等を混ぜて薬の苦みを緩和させ、水薬とし、これを飲ませる場合がある。
【０００７】
ただ、上述したいずれの場合も、処方した錠剤等を乳鉢ですり潰して粉にするので、乳鉢の表面に薬の一部が付着してしまい、処方された薬を患者に全量摂取させることができないという問題があった。
【０００８】
そこで、近年は、コップに入れたお温（５５℃）の中に錠剤等をそのまま入れ、１０分間程度放置して錠剤等をこのお湯の中で膨潤・崩壊させ、その後、このお湯を掻き混ぜることにより薬の懸濁液を得る方法（簡易懸濁法）で水薬を作り、これを注入器（シリンジ）に吸い取り、シリンジから経口または経管で患者に投与している。
【０００９】
しかし、この簡易懸濁法は、お湯（５５℃）を用意しなければならないし、錠剤等を自然に崩壊させたり、投与できる温度（飲める温度）にまでお湯をさますため、１０分間程度の時間待たなければならないので、手間がかかり、患者本人又は介護者が他の事をしていたりすると、薬を飲み忘れてしまうという問題があった。
【００１０】
また、簡易懸濁法は、錠剤等をお湯の中で自然に崩壊させるため、崩壊が不完全で、錠剤等の一部に細かい溶け残りがみられる場合があり、特に、冬季のように外気温が低い場合、溶け残りが多くなる。溶け残りはシリンジで完全に吸引することができないので、処方された薬剤を全量投与することができないという問題もあった。
【００１１】
また、懸濁薬液を経管投与する場合、シリンジで吸引した溶け残りの薬剤がチューブの途中に引っかかってチューブを詰まらせ、薬剤の投与ができなくなってしまうという問題もあった。
【００１２】
また、異なる患者の錠剤等を簡易懸濁法で同時に処理して水薬にしている場合は、各コップから懸濁液を各シリンジで吸い取って患者に投与するが、このシリンジで吸い取る段階でコップ（懸濁薬液）を取り違えてしまう危険性もあるという問題もあった。
【００１３】
また、この簡易懸濁法を看護師が行う場合、錠剤等をお湯の中で自然に崩壊させたり、飲める温度にまで下げるために１０分間程度の時間待たなければならないので、薬剤投与の為の工程が増え、看護師にとって手間がかかるという問題もあった。
【００１４】
また、処方された錠剤等がかなり強固な場合は、錠剤等を粉砕してからお湯の中に入れない限り錠剤等は崩壊せず、錠剤等を簡易懸濁法だけで水薬にするのは困難であるという問題もあった。
【００１５】
また、簡易懸濁法は、錠剤等をコップに入れ、錠剤等が懸濁液化し、この液が投薬可能な温度まで低下するのに、１０分間放置という時間を必要とするため、その際にゴミ等の不衛生なものが混入する危険性があるという問題もあった。
【先行技術文献】
【特許文献】
【００１６】
【特許文献１】特開２００８−２６４５０４号公報
【非特許文献】
【００１７】
【非特許文献１】倉田なおみ著  「内服薬 経管投与ハンドブック」株式会社じほう  ２００６年
【発明の概要】
【発明が解決しようとする課題】
【００１８】
本発明が解決しようとする問題点は、簡易懸濁法で錠剤等を水薬にする場合、その作業にかなりの手間と時間がかかる点である。
【課題を解決するための手段】
【００１９】
本発明は、シリンジ内に水を固形の製剤とともに入れ、該シリンジを電子レンジにかけて該水を該製剤とともに加熱することを最も主要な特徴とする。
【００２０】
ここで、該シリンジを電子レンジにかけた後、該シリンジの先端を水に浸漬し、該シリンジのピストンを引いて該シリンジ内に水を吸引・追加してもよい。また、該シリンジを電子レンジにかけた後、該シリンジを振とうして製剤を良く懸濁化させてもよい。
【００２１】
シリンジを電子レンジにかける時間は、電子レンジのワット数とシリンジ内の水量に依存するが、通常の家庭用電子レンジを使用した場合、１０秒〜３分間の間にあり、８秒〜１２秒が好ましい。また、製剤とともにシリンジ内に入れる水は５ｍＬ〜１０ｍＬが好ましい。
【００２２】
前記固形の製剤としては錠剤、カプセル剤、丸剤又は顆粒剤を挙げることができる。該固形の製剤が錠剤の場合、該錠剤を割って該シリンジ内に入れ、該シリンジを電子レンジにかけてもよいし、該錠剤の表面に疵を付けて該シリンジ内に入れ、該シリンジを電子レンジにかけてもよい。また、該シリンジ内には複数種の製剤を同時に入れてもよい。
【発明の効果】
【００２３】
本発明の薬剤懸濁液化方法は、シリンジ内に固形の製剤を水とともに入れ、これを電子レンジにかけて加熱するため、固形の製剤を短時間に水で膨潤させ、水に懸濁化・液状化させることができるという利点がある。
【００２４】
また、本発明の薬剤懸濁液化方法は、固形の製剤をシリンジ内で懸濁液化させるので、簡易懸濁法の場合のように懸濁薬液を別の容器（コップ）からシリンジに移さなくて済み、従って、患者への投与に手間がかからないとともに、懸濁薬液を移し間違えなくて済むという利点がある。
【００２５】
また、本発明の薬剤懸濁液化方法は、固形の製剤と水がシリンジ内に密閉されているので、シリンジを激しく振ることによって固形の製剤と水を強制的に短時間に混ぜることができるという利点がある（簡易懸濁法の場合、コップを激しく振ることはできない）。
【００２６】
また、本発明の薬剤懸濁液化方法は、固形の製剤と水がシリンジ内に密閉されているので、固形の製剤と水が空気中のカビ、細菌等によって汚染されたり、異物が混入するおそれがないという利点がある。
【００２７】
また、本発明の薬剤懸濁液化方法は、シリンジを電子レンジにかけて加熱した後、該シリンジのピストンを引いて該シリンジ内に水を吸引すれば、懸濁薬液の温度を体温以下の飲み易い温度にすることができるという利点がある。
【００２８】
また、本発明の薬剤懸濁液化方法は、錠剤を割ったり、錠剤に疵を付けてシリンジに入れ、これを電子レンジにかけた場合、膨潤し難い強固な錠剤でも水に容易に分散、懸濁液化させることができるという利点がある。
【００２９】
また、本発明の薬剤懸濁液化方法は、電子レンジをかけた直後でも、シリンジのお湯に接していない部分は熱くなっておらず、やけどをする心配がなく、危険性が少ないという利点がある。
【図面の簡単な説明】
【００３０】
【図１】本発明に係る薬剤懸濁液化方法を示す工程図である。
【図２】各種懸濁方法と主薬含有量との関係を示すグラフである。
【発明を実施するための形態】
【００３１】
本発明は、固形の製剤を短時間に水で膨潤させ、水に懸濁液化させるという目的を、簡単な方法で、薬剤（主薬）の損失ないし変質を生じさせることなく実現した。
【実施例１】
【００３２】
図１に示すように、２０ｍＬサイズのシリンジにアスベリン錠（裸錠：直径 7 mm 、厚さ２．１mm）を１錠と５ｍＬの水を入れ、このシリンジを電子レンジに入れ、５００Ｗで１０秒間加熱し、その後、電子レンジから取り出し、軽く振った。アスベリン錠は電子レンジに１０秒間かけたところでほぼ崩壊し、シリンジを軽く振ることによって水中に完全に分散し、水は懸濁液となった。
【００３３】
次に、シリンジの先から水を吸引し、シリンジ内の水の量を２０ｍＬとした。懸濁液は吸引した水によって冷却され、体温以下の３２℃以下となり、患者に対してそのまま投与可能になった。
【００３４】
なお、比較例として、コップに５５℃のお湯を２０ｍＬ入れ、このお湯の中にアスベリン錠を１錠入れ、アスベリン錠の変化の様子を観察した。アスベリン錠は３０秒くらいまでに錠剤の表面がふやけて崩れ、１分で半分くらい崩壊し、２分後に４分の３くらい崩壊し、３分で完全に崩壊した。
【実施例２】
【００３５】
アキネトン錠（裸錠：直径 7 mm 、厚さ２．１mm）についても実施例１と同様の実験をしたところ、実施例１と同様の結果が得られた。
【００３６】
なお、比較例として、コップに５５℃のお湯を２０ｍＬ入れ、このお湯の中にアキネトン錠を１錠入れ、アキネトン錠の変化の様子を観察した。アキネトン錠はお湯に入れて３０秒くらいで完全に崩壊した。
【実施例３】
【００３７】
コートリル錠（裸錠：直径７．１mm 、厚さ３．３mm）についても実施例１と同様の実験をしたところ、実施例１と同様の結果が得られた。
【００３８】
なお、比較例として、コップに５５℃のお湯を２０ｍＬ入れ、このお湯の中にコートリル錠を１錠入れ、コートリル錠の変化の様子を観察した。コートリル錠はお湯に入れて１５秒くらいで表面がくずれ、３０〜６０秒くらいのあいだでほぼ崩壊し、６０秒を過ぎた時点で軽くコップを振ると完全に崩壊した。
【実施例４】
【００３９】
２０ｍＬサイズのシリンジにウラリット錠（裸錠：直径１０mm 、厚さ５．９mm）を１錠と５ｍＬの水を入れ、このシリンジを電子レンジに入れ、５００Ｗで１０秒間加熱し、その後、電子レンジから取り出し、錠剤の状態を観察した。ウラリット錠は表面のみ溶けただけで、完全には崩壊しなかった。
【００４０】
そこで、次に、ウラリッド錠及び水が入ったシリンジを上下に激しく振とうした。ウラリッド錠がシリンジの内底とぶつかることにより生じる音が徐々に聞こえなくなり、１００回ほど振とう（時間にして1分未満）したところでその音は聞こえなくなった。この段階で、再度、ウラリッド錠の状態を確認したところ、ウラリッド錠は完全崩壊していた。
【００４１】
次に、シリンジの先を水に浸し、ピストンを引いてシリンジ内に水を吸引させ、シリンジ内の水の量を２０ｍＬとした。懸濁液の温度は体温以下の３２℃以下となり、患者に対してこのまま投与可能であった。
【００４２】
なお、比較例として、コップに５５℃のお湯を２０ｍＬ入れ、このお湯の中にウラリッド錠を１錠入れ、ウラリッド錠の変化の様子を観察したところ、ウラリッド錠はお湯に入れると表面からぶくぶくと泡が出始め、表面がふやける始めた。その現象は２〜３分続いた。５分経過したところで錠剤の表面だけが溶けた。その後、錠剤の観察を続けるが、簡易懸濁法の崩壊設定時間である１０分を経過しても表面しか崩壊せず、錠剤の懸濁化はできなかった。また、コップを３分以上振り続けても錠剤は完全崩壊しなかった。
【００４３】
以上の結果から、液状化させる錠剤がウラリッド錠の場合、本発明の方法（電子レンジ懸濁法）は簡易懸濁法より特に優れていることがわかる。
【実施例５】
【００４４】
２０ｍＬサイズのシリンジにイトリゾールカプセル（直径６．３５ｍｍ、長さ１８．１ｍｍ）を１つと５ｍＬの水を入れ、このシリンジを電子レンジに入れ、５００Ｗで１０秒間加熱し、その後、電子レンジから取り出し、軽く振った。イトリゾールカプセルは溶け、中身の顆粒剤は水中に出ていた。
【００４５】
次に、シリンジの先を水に浸し、ピストンを引いてシリンジ内に水を吸引させ、シリンジ内の水の量を２０ｍＬとした。懸濁液の温度は体温以下の３２℃以下となり、患者に対して投与可能であった。そして、シリンジから患者への投与を試みたところ、顆粒剤はシリンジ内に残ることなく、水とともにほぼ完全にシリンジ外に排出された。（主薬の損失が少なく抑えられた）
【００４６】
なお、比較例として、コップに５５℃のお湯を２０ｍＬ入れ、このお湯の中にイトリゾールカプセルを１つ入れ、イトリゾールカプセルの変化の様子を観察した。４５秒でカプセルの端が崩れ、１分で回りが溶けた。１分３０秒で完全崩壊し、軽くふると中の顆粒剤がばらばらにコップの底に沈んでいた。
【００４７】
コップ内の水及び薬を患者に投与するために、コップ内の顆粒剤をシリンジ内に水とともに吸引したところ、顆粒剤はコップの底に残ってしまい、シリンジ内に完全に吸引することはできなかった。
【実施例６】
【００４８】
エブランチルカプセル（直径４．９ｍｍ、長さ１１．４ｍｍ）についても実施例５と同様の実験をしたところ、実施例５と同様の結果が得られた。
【００４９】
なお、上記実施例の比較例として、コップに５５℃のお湯を２０ｍＬ入れ、このお湯の中にエブランチルカプセルを１つ入れ、エブランチルカプセルの変化の様子を観察した。エブランチルカプセルは３０秒で表面が溶け、１分で中身が出始め、１分１５秒でカプセルが水面に浮き、１分３０秒で浮いた状態から中身（顆粒剤）が下にボロボロと落ち、５分後にカプセルは完全に溶け、コップの底に顆粒剤がバラバラと点在していた。
【００５０】
コップ内の水及び薬を患者に投与するために、コップ内の顆粒剤をシリンジ内に水とともに吸引したところ、顆粒剤はコップの底に残ってしまい、シリンジ内に完全に吸引することはできなかった。
【実施例７】
【００５１】
２０ｍＬサイズのシリンジにクラビット錠（直径８．１ｍｍ、厚さ４．３ｍｍ）を１錠と５ｍＬの水を入れ、このシリンジを電子レンジに入れ、５００Ｗで１０秒間加熱し、電子レンジから取り出したところ、コーティングが熱で溶け、中身の実薬の塊が外に出ていた。シリンジを上下に振とうしたところ、中身が溶け、１００回近く振とうしたところで、完全に崩壊し、懸濁液となった。
【００５２】
次に、シリンジの先を水に浸し、ピストンを引いてシリンジ内に水を吸引させ、シリンジ内の水の量を２０ｍＬとした。懸濁液の温度は体温以下の３２℃以下となり、患者に対して投与可能であった。
【００５３】
なお、比較例として、コップに５５℃のお湯を２０ｍＬ入れ、このお湯の中にクラビット錠を１錠入れ、クラビット錠の変化の様子を観察したところ、３０秒で表面が溶け、５０秒くらいで錠剤の周りが溶け始め、１分３０秒でコーティングが取れて中身がむき出しになり、３分３０秒で軽くゆすると2つに割れた。しかし、５分でまだ崩壊せず２つに割れたままの状態であり、その後１０分を経過するも完全には崩壊せず、溶け残った状態で存在していた。
【００５４】
簡易懸濁法では１０分を経過した状態でも崩壊懸濁が不可能であったクラビット錠が、本発明の方法（電子レンジ懸濁法）においては懸濁投与可能であった。
【実施例８】
【００５５】
グリチロン錠（直径８．１ｍｍ、厚さ５．０ｍｍ）について、クラビット錠と同様に電子レンジ懸濁法を行ったところ、１００回での振とうにより完全崩壊はできなかった。そこで、錠剤をシートの状態から半分に割った後にレンジをかけたところ、錠剤の割れた内側から錠剤の中身が溶出しはじめ、１００回振とうにより、完全崩壊可能となった。
【００５６】
簡易懸濁法においては錠剤を棒などで叩いて、粉々にした状態で懸濁化を行っていたが、本法により錠剤を粉々にすることなく、懸濁化が可能であった。
【実施例９】
【００５７】
実施例１と同様の実験をし、得られた懸濁液をＨＰＬＣ（高速液体クロマトグラフィー）で分析して主薬の量を測定し、元の錠剤中に含まれる主薬の量との比率（％）を求めたところ、表１及び図２に示す通りであった。また、粉砕法及び簡易懸濁法で懸濁液を作り、この懸濁液をＨＰＬＣで分析して主薬の量を測定し、元の錠剤中に含まれる主薬の量との比率（％）を求めたところ、表１及び図２に示す通りであった。
【００５８】
【表１】
2010178814.tif 000003
【００５９】
表１及び図２に示す結果から、本発明法は主薬の損失の全く無い、あるいは主薬の変質が全く無い懸濁液化方法であることがわかる。
【図１】
2010178814.tif 000004
【図２】
2010178814.tif 000005